(57)【要約】【課題】印刷されたバーコード等をスキャンすると、即座に金額が表示されて支払承認が要求されるのではなく、購入したい商品の写真等の簡単な商品詳細、および、これを購入するか否かの確認画面を差し込み、購入確認が取れた場合、支払金額をモバイル端末に表示させ、この金額を確認した利用者が設定した支払認証をモバイル端末に入力することで支払を完了することができるコード決済システム、コード決済装置、コード決済方法、および、コード決済プログラムを提供することを課題とする。【解決手段】一次元コードまたは二次元コードが撮影された場合、商品の購入詳細データを含む購入確認画面を表示させるように制御し、購入確認画面に商品の購入確認が入力された場合、商品の支払処理画面を表示させるように制御し、支払処理画面に登録データを含む支払承認が入力された場合、商品の支払処理を実行する。【選択図】図４
2020027588.tif 000002
【特許請求の範囲】
【請求項１】
入出力部と撮影部とを備えた端末装置、および、記憶部と制御部とを備えたコード決済装置を通信可能に接続したコード決済システムであって、
前記記憶部は、
商品の商品データ、および、当該商品データをコード化した一次元コードまたは二次元コードのコードデータを記憶する商品記憶手段と、
前記端末装置でのオンライン決済の登録者の登録者識別データと決済方法データとを含む登録データを記憶する登録記憶手段と、
を備え、
前記制御部は、
前記端末装置の前記撮影部にて前記一次元コードまたは前記二次元コードが撮影された場合、前記商品の購入詳細データを含む購入確認画面を前記端末装置に表示させるように制御する購入確認画面表示制御手段と、
前記端末装置の前記入出力部を介して前記購入確認画面に前記商品の購入確認が入力された場合、前記商品の支払処理画面を前記端末装置に表示させるように制御する支払処理画面表示制御手段と、
前記端末装置の前記入出力部を介して前記支払処理画面に前記登録データを含む支払承認が入力された場合、前記商品の支払処理を実行する支払実行手段と、
を備えたことを特徴とするコード決済システム。
【請求項２】
前記購入確認画面表示制御手段は、
前記端末装置の前記撮影部にて複数の前記一次元コードおよび／または前記二次元コードが撮影された場合、複数の前記商品の前記購入詳細データを含む前記購入確認画面を前記端末装置に表示させるように制御し、
前記支払処理画面表示制御手段は、
前記端末装置の前記入出力部を介して前記購入確認画面に前記複数の商品の前記購入確認が入力された場合、前記商品の合計の前記支払処理画面を前記端末装置に表示させるように制御することを特徴とする請求項１に記載のコード決済システム。
【請求項３】
前記購入確認画面表示制御手段は、
前記端末装置の前記撮影部にて前記一次元コードまたは前記二次元コードが撮影された場合、前記商品の変更可能な購入個数を含む前記購入詳細データを含む前記購入確認画面を前記端末装置に表示させるように制御することを特徴とする請求項１に記載のコード決済システム。
【請求項４】
前記購入詳細データは、
前記商品の商品説明、および／または、合計金額を含むことを特徴とする請求項１に記載のコード決済システム。
【請求項５】
前記支払実行手段は、
前記端末装置の前記入出力部を介して前記支払処理画面に暗証番号、ならびに／または、前記決済方法データを含む前記支払承認が入力された場合、当該暗証番号と、前記決済方法データに対応する前記登録者識別データとの一致を確認し、前記商品の支払処理を実行することを特徴とする請求項１から４のいずれか一つに記載のコード決済システム。
【請求項６】
前記一次元コードまたは前記二次元コードは、
店頭、メニュー表もしくは商品カタログに掲載されている、または、画面表示されていることを特徴とする請求項１から５のいずれか一つに記載のコード決済システム。
【請求項７】
前記決済方法データは、
銀行ネット決済データ、クレジットカード決済データ、携帯キャリア決済データ、電子マネー決済データ、ポイント決済データ、および／または、クーポン決済データであることを特徴とする請求項１から６のいずれか一つに記載のコード決済システム。
【請求項８】
入出力部と撮影部とを備えた端末装置に通信可能に接続された、記憶部と制御部とを備えたコード決済装置であって、
前記記憶部は、
商品の商品データ、および、当該商品データをコード化した一次元コードまたは二次元コードのコードデータを記憶する商品記憶手段と、
前記端末装置でのオンライン決済の登録者の登録者識別データと決済方法データとを含む登録データを記憶する登録記憶手段と、
を備え、
前記制御部は、
前記端末装置の前記撮影部にて一次元コードまたは二次元コードが撮影された場合、商品の購入詳細データを含む購入確認画面を前記端末装置に表示させるように制御する購入確認画面表示制御手段と、
前記端末装置の前記入出力部を介して前記購入確認画面に前記商品の購入確認が入力された場合、前記商品の支払処理画面を前記端末装置に表示させるように制御する支払処理画面表示制御手段と、
前記端末装置の前記入出力部を介して前記支払処理画面に前記登録データを含む支払承認が入力された場合、前記商品の支払処理を実行する支払実行手段と、
を備えたことを特徴とするコード決済装置。
【請求項９】
入出力部と撮影部とを備えた端末装置、および、記憶部と制御部とを備えたコード決済装置を通信可能に接続したコード決済システムに実行させるためのコード決済方法であって、
前記記憶部は、
商品の商品データ、および、当該商品データをコード化した一次元コードまたは二次元コードのコードデータを記憶する商品記憶手段と、
前記端末装置でのオンライン決済の登録者の登録者識別データと決済方法データとを含む登録データを記憶する登録記憶手段と、
を備え、
前記制御部で実行させる、
前記端末装置の前記撮影部にて一次元コードまたは二次元コードが撮影された場合、商品の購入詳細データを含む購入確認画面を前記端末装置に表示させるように制御する購入確認画面表示制御ステップと、
前記端末装置の前記入出力部を介して前記購入確認画面に前記商品の購入確認が入力された場合、前記商品の支払処理画面を前記端末装置に表示させるように制御する支払処理画面表示制御ステップと、
前記端末装置の前記入出力部を介して前記支払処理画面に前記登録データを含む支払承認が入力された場合、前記商品の支払処理を実行する支払実行ステップと、
を含むことを特徴とするコード決済方法。
【請求項１０】
入出力部と撮影部とを備えた端末装置に通信可能に接続された、記憶部と制御部とを備えたコード決済装置に実行させるためのコード決済方法であって、
前記記憶部は、
商品の商品データ、および、当該商品データをコード化した一次元コードまたは二次元コードのコードデータを記憶する商品記憶手段と、
前記端末装置でのオンライン決済の登録者の登録者識別データと決済方法データとを含む登録データを記憶する登録記憶手段と、
を備え、
前記制御部で実行させる、
前記端末装置の前記撮影部にて一次元コードまたは二次元コードが撮影された場合、商品の購入詳細データを含む購入確認画面を前記端末装置に表示させるように制御する購入確認画面表示制御ステップと、
前記端末装置の前記入出力部を介して前記購入確認画面に前記商品の購入確認が入力された場合、前記商品の支払処理画面を前記端末装置に表示させるように制御する支払処理画面表示制御ステップと、
前記端末装置の前記入出力部を介して前記支払処理画面に前記登録データを含む支払承認が入力された場合、前記商品の支払処理を実行する支払実行ステップと、
を含むことを特徴とするコード決済方法。
【請求項１１】
入出力部と撮影部とを備えた端末装置に通信可能に接続された、記憶部と制御部とを備えたコード決済装置に実行させるためのコード決済プログラムであって、
前記記憶部は、
商品の商品データ、および、当該商品データをコード化した一次元コードまたは二次元コードのコードデータを記憶する商品記憶手段と、
前記端末装置でのオンライン決済の登録者の登録者識別データと決済方法データとを含む登録データを記憶する登録記憶手段と、
を備え、
前記制御部において、
前記端末装置の前記撮影部にて一次元コードまたは二次元コードが撮影された場合、商品の購入詳細データを含む購入確認画面を前記端末装置に表示させるように制御する購入確認画面表示制御ステップと、
前記端末装置の前記入出力部を介して前記購入確認画面に前記商品の購入確認が入力された場合、前記商品の支払処理画面を前記端末装置に表示させるように制御する支払処理画面表示制御ステップと、
前記端末装置の前記入出力部を介して前記支払処理画面に前記登録データを含む支払承認が入力された場合、前記商品の支払処理を実行する支払実行ステップと、
を実行させるためのコード決済プログラム。
【発明の詳細な説明】
【技術分野】
【０００１】
本発明は、コード決済システム、コード決済装置、コード決済方法、および、コード決済プログラムに関する。
【背景技術】
【０００２】
従来、スマートフォン等のモバイル端末のカメラでバーコードやＱＲコード（登録商標）をスキャンし、決済金額を確認してモバイル端末で登録したクレジットカードや銀行口座から支払うモバイル端末決済が拡大しており、例えば、電気料金等の払込票に印刷されたバーコード等をモバイル端末でスキャンし、モバイル端末に表示された金額を確認し、利用者が設定した支払認証の暗証番号をモバイル端末に入力することで支払いを完了する決済処理を行っていた。また、従来、対面決済での支払いでは、タブレット等の画面に請求金額のＱＲコード（登録商標）として表示し、モバイル端末でスキャンして支払いをしていた。
【発明の概要】
【発明が解決しようとする課題】
【０００３】
しかしながら、従来の決済処理においては、１回支払いをした後、読込済のバーコード等での支払いを不可能としており、払込票自体も請求者から利用者に送付しており、この払込票のバーコード等をスキャンして支払い完了した収納金の支払先が請求者のみに限られていたため、第三者が改竄する余地が無かったが、商品カタログや店頭表示に商品写真と販売代金と販売代金のＱＲコード（登録商標）等を掲載し、このＱＲコード（登録商標）等を別々の購入者が繰り返しスキャンして支払う場合、悪意のある第三者がＱＲコード（登録商標）等のすり替えをし、または、修正印刷等の加工をして意図しない支払いに誘導することで、本来の受取人ではない者への支払いをさせてしまう余地があったため、第三者の改竄を防ぐ仕組みを必要としていたという課題があった。
【０００４】
また、従来の決済処理においては、請求者と請求金額とを購入者のモバイル端末に表示させ、正常決済することもできるが、同じ人が間違って複数回の決済をしてしまうという課題があった。
【０００５】
本発明は、上記問題点に鑑みてなされたものであって、印刷されたバーコード等をスキャンすると、即座に金額が表示されて支払承認が要求されるのではなく、購入したい商品の写真等の簡単な商品詳細、および、これを購入するか否かの確認画面を差し込み、購入確認が取れた場合、支払金額をモバイル端末に表示させ、この金額を確認した利用者が設定した支払認証をモバイル端末に入力することで支払を完了することができるコード決済システム、コード決済装置、コード決済方法、および、コード決済プログラムを提供することを目的とする。
【課題を解決するための手段】
【０００６】
上述した課題を解決し、目的を達成するために、本発明に係るコード決済システムは、入出力部と撮影部とを備えた端末装置、および、記憶部と制御部とを備えたコード決済装置を通信可能に接続したコード決済システムであって、前記記憶部は、商品の商品データ、および、当該商品データをコード化した一次元コードまたは二次元コードのコードデータを記憶する商品記憶手段と、前記端末装置でのオンライン決済の登録者の登録者識別データと決済方法データとを含む登録データを記憶する登録記憶手段と、を備え、前記制御部は、前記端末装置の前記撮影部にて前記一次元コードまたは前記二次元コードが撮影された場合、前記商品の購入詳細データを含む購入確認画面を前記端末装置に表示させるように制御する購入確認画面表示制御手段と、前記端末装置の前記入出力部を介して前記購入確認画面に前記商品の購入確認が入力された場合、前記商品の支払処理画面を前記端末装置に表示させるように制御する支払処理画面表示制御手段と、前記端末装置の前記入出力部を介して前記支払処理画面に前記登録データを含む支払承認が入力された場合、前記商品の支払処理を実行する支払実行手段と、を備えたことを特徴とする。
【０００７】
また、本発明に係るコード決済システムにおいて、前記購入確認画面表示制御手段は、前記端末装置の前記撮影部にて複数の前記一次元コードおよび／または前記二次元コードが撮影された場合、複数の前記商品の前記購入詳細データを含む前記購入確認画面を前記端末装置に表示させるように制御し、前記支払処理画面表示制御手段は、前記端末装置の前記入出力部を介して前記購入確認画面に前記複数の商品の前記購入確認が入力された場合、前記商品の合計の前記支払処理画面を前記端末装置に表示させるように制御することを特徴とする。
【０００８】
また、本発明に係るコード決済システムにおいて、前記購入確認画面表示制御手段は、前記端末装置の前記撮影部にて前記一次元コードまたは前記二次元コードが撮影された場合、前記商品の変更可能な購入個数を含む前記購入詳細データを含む前記購入確認画面を前記端末装置に表示させるように制御することを特徴とする。
【０００９】
また、本発明に係るコード決済システムにおいて、前記購入詳細データは、前記商品の商品説明、および／または、合計金額を含むことを特徴とする。
【００１０】
また、本発明に係るコード決済システムにおいて、前記支払実行手段は、前記端末装置の前記入出力部を介して前記支払処理画面に暗証番号、ならびに／または、前記決済方法データを含む前記支払承認が入力された場合、当該暗証番号と、前記決済方法データに対応する前記登録者識別データとの一致を確認し、前記商品の支払処理を実行することを特徴とする。
【００１１】
また、本発明に係るコード決済システムにおいて、前記一次元コードまたは前記二次元コードは、店頭、メニュー表もしくは商品カタログに掲載されている、または、画面表示されていることを特徴とする。
【００１２】
また、本発明に係るコード決済システムにおいて、前記決済方法データは、銀行ネット決済データ、クレジットカード決済データ、携帯キャリア決済データ、電子マネー決済データ、ポイント決済データ、および／または、クーポン決済データであることを特徴とする。
【００１３】
また、本発明に係るコード決済装置において、入出力部と撮影部とを備えた端末装置に通信可能に接続された、記憶部と制御部とを備えたコード決済装置であって、前記記憶部は、商品の商品データ、および、当該商品データをコード化した一次元コードまたは二次元コードのコードデータを記憶する商品記憶手段と、前記端末装置でのオンライン決済の登録者の登録者識別データと決済方法データとを含む登録データを記憶する登録記憶手段と、を備え、前記制御部は、前記端末装置の前記撮影部にて一次元コードまたは二次元コードが撮影された場合、商品の購入詳細データを含む購入確認画面を前記端末装置に表示させるように制御する購入確認画面表示制御手段と、前記端末装置の前記入出力部を介して前記購入確認画面に前記商品の購入確認が入力された場合、前記商品の支払処理画面を前記端末装置に表示させるように制御する支払処理画面表示制御手段と、前記端末装置の前記入出力部を介して前記支払処理画面に前記登録データを含む支払承認が入力された場合、前記商品の支払処理を実行する支払実行手段と、を備えたことを特徴とする。
【００１４】
また、本発明に係るコード決済方法は、入出力部と撮影部とを備えた端末装置、および、記憶部と制御部とを備えたコード決済装置を通信可能に接続したコード決済システムに実行させるためのコード決済方法であって、前記記憶部は、商品の商品データ、および、当該商品データをコード化した一次元コードまたは二次元コードのコードデータを記憶する商品記憶手段と、前記端末装置でのオンライン決済の登録者の登録者識別データと決済方法データとを含む登録データを記憶する登録記憶手段と、を備え、前記制御部で実行させる、前記端末装置の前記撮影部にて一次元コードまたは二次元コードが撮影された場合、商品の購入詳細データを含む購入確認画面を前記端末装置に表示させるように制御する購入確認画面表示制御ステップと、前記端末装置の前記入出力部を介して前記購入確認画面に前記商品の購入確認が入力された場合、前記商品の支払処理画面を前記端末装置に表示させるように制御する支払処理画面表示制御ステップと、前記端末装置の前記入出力部を介して前記支払処理画面に前記登録データを含む支払承認が入力された場合、前記商品の支払処理を実行する支払実行ステップと、を含むことを特徴とする。
【００１５】
また、本発明に係るコード決済方法は、入出力部と撮影部とを備えた端末装置に通信可能に接続された、記憶部と制御部とを備えたコード決済装置に実行させるためのコード決済方法であって、前記記憶部は、商品の商品データ、および、当該商品データをコード化した一次元コードまたは二次元コードのコードデータを記憶する商品記憶手段と、前記端末装置でのオンライン決済の登録者の登録者識別データと決済方法データとを含む登録データを記憶する登録記憶手段と、を備え、前記制御部で実行させる、前記端末装置の前記撮影部にて一次元コードまたは二次元コードが撮影された場合、商品の購入詳細データを含む購入確認画面を前記端末装置に表示させるように制御する購入確認画面表示制御ステップと、前記端末装置の前記入出力部を介して前記購入確認画面に前記商品の購入確認が入力された場合、前記商品の支払処理画面を前記端末装置に表示させるように制御する支払処理画面表示制御ステップと、前記端末装置の前記入出力部を介して前記支払処理画面に前記登録データを含む支払承認が入力された場合、前記商品の支払処理を実行する支払実行ステップと、を含むことを特徴とする。
【００１６】
また、本発明に係るコード決済プログラムは、入出力部と撮影部とを備えた端末装置に通信可能に接続された、記憶部と制御部とを備えたコード決済装置に実行させるためのコード決済プログラムであって、前記記憶部は、商品の商品データ、および、当該商品データをコード化した一次元コードまたは二次元コードのコードデータを記憶する商品記憶手段と、前記端末装置でのオンライン決済の登録者の登録者識別データと決済方法データとを含む登録データを記憶する登録記憶手段と、を備え、前記制御部において、前記端末装置の前記撮影部にて一次元コードまたは二次元コードが撮影された場合、商品の購入詳細データを含む購入確認画面を前記端末装置に表示させるように制御する購入確認画面表示制御ステップと、前記端末装置の前記入出力部を介して前記購入確認画面に前記商品の購入確認が入力された場合、前記商品の支払処理画面を前記端末装置に表示させるように制御する支払処理画面表示制御ステップと、前記端末装置の前記入出力部を介して前記支払処理画面に前記登録データを含む支払承認が入力された場合、前記商品の支払処理を実行する支払実行ステップと、を実行させることを特徴とする。
【発明の効果】
【００１７】
本発明によれば、同じ人が間違って複数回の決済をしてしまう、または、悪意のある第三者が印刷したＱＲコード（登録商標）をすり替えたり加工したりして、本来の受取人ではない者への支払いをするようなことを回避できるという効果を奏する。また、本発明によれば、フィッシングサイト等への誘導を予防できるという効果を奏する。
【図面の簡単な説明】
【００１８】
【図１】図１は、従来のモバイル決済処理の一例を示すフロー図である。
【図２】図２は、従来のモバイル決済処理の一例を示すフロー図である。
【図３】図３は、本実施形態におけるモバイル決済処理の一例を示すフロー図である。
【図４】図４は、本実施形態におけるコード決済システムの構成の一例を示すブロック図である。
【図５】図５は、本実施形態におけるコード決済システムの処理の一例を示すフローチャートである。
【図６】図６は、本実施形態におけるコード決済処理の一例を示すフロー図である。
【図７】図７は、本実施形態におけるコード決済処理の一例を示すフロー図である。
【図８】図８は、本実施形態における二次元コードスキャンの一例を示す図である。
【図９】図９は、本実施形態における二次元コードスキャンの一例を示す図である。
【発明を実施するための形態】
【００１９】
本発明の実施形態を図面に基づいて詳細に説明する。なお、本発明は本実施形態により限定されるものではない。
【００２０】
［１．概要］
まず、図１から図３を参照して、本発明の概要を説明する。図１および図２は、従来のモバイル決済処理の一例を示すフロー図である。図３は、本実施形態におけるモバイル決済処理の一例を示すフロー図である。
【００２１】
図１に示すように、従来、ユーザが商品購入を決定し、カタログまたは店頭に印刷されたＱＲコード（登録商標）をスマートフォンでスキャンした場合（ステップＳＡ−１）、スマートフォンの画面に購入金額が表示され、購入金額をユーザが確認して（ステップＳＡ−２）、ユーザが暗証番号を入力し、支払承認することで（ステップＳＡ−３）、支払が完了していた（ステップＳＡ−４）。
【００２２】
例えば、図２に示すように、従来、店頭に９００円のＡランチのＱＲコード（登録商標）が掲載されており、ユーザにより当該ＱＲコード（登録商標）がスキャンされた場合（ステップＳＢ−１）、スマートフォンの画面に支払データが表示され、支払内容をユーザが確認し、暗証番号が入力されると（ステップＳＢ−２）、支払が完了していた（ステップＳＢ−３）。そのため、従来は、悪意ある第三者が、ＱＲコード（登録商標）を加工し、支払先を変えてしまうこともできたため、この支払処理は、全く違う人に払われてしまう可能性があった。
【００２３】
そこで、図３に示すように、本実施形態においては、ユーザが商品購入を決定し、カタログまたは店頭に印刷されたＱＲコード（登録商標）をスマートフォンでスキャンした場合（ステップＳＣ−１）、購入決定した商品、スマートフォンの画面にその購入個数および販売企業等の情報を表示し、購入意思をユーザが確認すると（ステップＳＣ−２）、スマートフォンの画面に購入金額が表示され、購入金額をユーザが確認して（ステップＳＣ−３）、ユーザが暗証番号を入力し、支払承認することで（ステップＳＣ−４）、支払が完了するようにしている（ステップＳＣ−５）。
【００２４】
このように、本実施形態においては、支払処理の前に、購入確認画面表示を挟み込むことで、予定外の購入または間違った数での購入を防ぐことができ、不正なＱＲコード（登録商標）に対する支払いを防ぐことができる。また、本実施形態においては、ＱＲコード（登録商標）決済をする場合、必ずこの購入確認画面表示を支払処理の前に入れることで、悪意ある第三者が他のＱＲコード（登録商標）に差し替えるためには、各商品の購入確認画面の作成が必要となるため、差し替えを非常に難しくしている。
【００２５】
［２．コード決済システムの構成］
本実施形態に係る端末装置１００、および、サーバ（コード決済装置）２００を通信可能に接続したコード決済システムの構成の一例について、図４を参照して説明する。図４は、本実施形態におけるコード決済システムの構成の一例を示すブロック図である。
【００２６】
［端末装置１００の構成］
図４において、端末装置１００は、携帯電話、スマートフォン、タブレット端末、ＰＨＳもしくはＰＤＡ（Ｐｅｒｓｏｎａｌ  Ｄｉｇｉｔａｌ  Ａｓｓｉｓｔａｎｔｓ）等の携帯端末、または、一般に市販されるデスクトップ型もしくはノート型のパーソナルコンピュータ等の情報処理装置等であってもよい。
【００２７】
端末装置１００は、制御部１０２と記憶部１０６と撮影部１１０と入出力部１１２とを備えており、端末装置１００が備えている各部は、任意の通信路を介して通信可能に接続されている。
【００２８】
入出力部１１２は、データの入出力（Ｉ／Ｏ）を行う機能を有していてもよい。ここで、入出力部１１２は、例えば、キー入力部、タッチパネル、コントロールパッド（例えば、タッチパッド、および、ゲームパッド等）、マウス、キーボード、および、マイク等であってもよい。また、入出力部１１２は、アプリケーション等の（入出力）情報を表示する表示部（例えば、液晶または有機ＥＬ等から構成されるディスプレイ、モニタ、および、タッチパネル等）であってもよい。また、入出力部１１２は、音声情報を音声として出力する音声出力部（例えば、スピーカ等）であってもよい。
【００２９】
撮影部１１０は、ＣＣＤイメージセンサまたはＣＭＯＳイメージセンサ等の撮像素子で撮影した画像（静止画および動画）をデジタルデータとして記録するカメラ等であってもよい。
【００３０】
端末装置１００は、他の装置とネットワーク３００を介して通信可能に接続し、他の装置とデータを通信する機能を有する。ここで、ネットワーク３００は、端末装置１００およびサーバ２００を相互に通信可能に接続する機能を有し、例えば、インターネットおよび／またはＬＡＮ（Ｌｏｃａｌ  Ａｒｅａ  Ｎｅｔｗｏｒｋ）等である。
【００３１】
記憶部１０６には、各種のデータベース、テーブル、および／または、ファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、および／または、ＳＳＤ（Ｓｏｌｉｄ  Ｓｔａｔｅ  Ｄｒｉｖｅ）等を用いることができる。記憶部１０６は、撮影部１１０にて記録された画像データ、ネットワーク３００を介して受信されたデータ、および／または、入出力部１１２を介して入力された入力データ等を記憶していてもよい。
【００３２】
制御部１０２は、端末装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。例えば、制御部１０２は、撮影部１１０にて記録された画像データの取得および画像データに含まれる文字データ（ＵＲＬ等）のデータ読取、ネットワーク３００を介したデータ送受信、入出力部１１２を介して入力された入力データの取得、ならびに、出力部１１４でのデータ（画面）表示等の各処理を実行してもよい。
【００３３】
［サーバ２００の構成］
図４において、サーバ２００は、パーソナルコンピュータ、または、ワークステーション等の情報処理装置であってもよい。サーバ２００は、制御部２０２と記憶部２０６とを備えており、サーバ２００が備えている各部は、任意の通信路を介して通信可能に接続されている。サーバ２００は、ネットワーク３００を介して、端末装置１００と相互に通信可能に接続されている。
【００３４】
記憶部２０６には、各種のデータベース、テーブル、および／または、ファイルなどが格納される。記憶部２０６には、ＯＳと協働してＣＰＵに命令を与えて各種処理を行うためのコンピュータプログラムが記録される。記憶部２０６は、ＲＡＭ、ＲＯＭ、ＨＤＤ、および／または、ＳＳＤ等のストレージ手段であり、各種のデータベースやテーブルを格納する。記憶部２０６は、機能概念的に、商品データベース２０６ａと、登録データベース２０６ｂとを備えている。
【００３５】
商品データベース２０６ａは、商品の商品データ、および、当該商品データをコード化した一次元コードまたは二次元コードのコードデータを記憶する。ここで、商品データは、商品名、商品単価、商品説明、製造元データおよび／または販売元データ等を含んでいてもよい。また、一次元コードまたは二次元コードは、店頭、メニュー表もしくは商品カタログに掲載されていてもよく、店頭端末もしくはインターネットショッピング画面等に画面表示されていてもよい。
【００３６】
登録データベース（オンライン決済アプリ登録データベース）２０６ｂは、端末装置１００でのオンライン決済の登録者の登録者識別データと決済方法データとを含む登録データを記憶する。ここで、決済方法データは、銀行ネット決済データ、クレジットカード決済データ、携帯キャリア決済データ、電子マネー決済データ、ポイント決済データ、および／または、クーポン決済データ等であってもよい。このように、本実施形態においては、ポイント、電子マネーもしくは地域通貨等の個人アカウントデータまたはクーポンデータ等の各種支払方法を決済方法（決済手段）として登録してもよい。また、登録者識別データは、登録者名、登録者住所、登録者電話番号、登録暗証番号、登録者端末識別データ（ＭＡＣアドレス等）、および／または、登録者Ｅメールアドレス等を含んでいてもよい。また、銀行ネット決済データは、口座番号、口座名義、店番および／または預金種別コード等を含んでいてもよい。また、クレジットカード決済データは、カード番号、セキュリティコードおよび／または有効期限データ等を含んでいてもよい。
【００３７】
制御部２０２は、サーバ２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。制御部２０２は、機能概念的に、購入確認画面表示制御部２０２ａと、支払処理画面表示制御部２０２ｂと、支払実行部２０２ｃとを備えている。
【００３８】
購入確認画面表示制御部２０２ａは、商品の購入詳細データを含む購入確認画面を端末装置１００に表示させるように制御する。ここで、購入確認画面表示制御部２０２ａは、端末装置１００の撮影部１１０にて一次元コードまたは二次元コードが撮影された場合、商品の購入詳細データを含む購入確認画面を端末装置１００に表示させるように制御してもよい。また、購入確認画面表示制御部２０２ａは、端末装置１００の撮影部１１０にて複数の一次元コードおよび／または二次元コードが撮影された場合、複数の商品の購入詳細データを含む購入確認画面を端末装置１００に表示させるように制御してもよい。また、購入確認画面表示制御部２０２ａは、端末装置１００の撮影部１１０にて一次元コードまたは二次元コードが撮影された場合、商品の変更可能な購入個数を含む購入詳細データを含む購入確認画面を端末装置１００に表示させるように制御してもよい。また、購入詳細データは、商品の商品説明、および／または、合計金額等を含んでいてもよい。
【００３９】
支払処理画面表示制御部２０２ｂは、商品の支払処理画面を端末装置１００に表示させるように制御する。ここで、支払処理画面表示制御部２０２ｂは、端末装置１００の入出力部１１２を介して購入確認画面に商品の購入確認が入力された場合、商品の支払処理画面を端末装置１００に表示させるように制御してもよい。また、支払処理画面表示制御部２０２ｂは、端末装置１００の入出力部１１２を介して購入確認画面に複数の商品の購入確認が入力された場合、商品の合計の支払処理画面を端末装置１００に表示させるように制御してもよい。
【００４０】
支払実行部２０２ｃは、商品の支払処理を実行する。ここで、支払実行部２０２ｃは、端末装置１００の入出力部１１２を介して支払処理画面に登録データを含む支払承認が入力された場合、商品の支払処理を実行してもよい。また、支払実行部２０２ｃは、端末装置１００の入出力部１１２を介して支払処理画面に暗証番号、ならびに／または、決済方法データを含む支払承認が入力された場合、当該暗証番号と、決済方法データに対応する登録者識別データとの一致を確認し、商品の支払処理を実行してもよい。
【００４１】
［３．コード決済システムの処理］
本実施形態に係るコード決済システムの処理の一例について、図５から図９を参照して説明する。図５は、本実施形態におけるコード決済システムの処理の一例を示すフローチャートである。
【００４２】
図５に示すように、オンライン決済アプリ登録済のユーザが端末装置（スマートフォン）１００の撮影部１１０を使って、店頭に掲載されているＱＲコード（登録商標）をスキャンした場合、スマートフォン１００の制御部１０２は、スキャンしたＱＲコード（登録商標）から読み出した商品の読取データをサーバ２００に送信することで、サーバ２００の購入確認画面表示制御部２０２ａは、当該読取データを取得する（ステップＳＤ−１）。
【００４３】
そして、サーバ２００の購入確認画面表示制御部２０２ａは、商品の変更可能な購入個数、商品説明、および、合計金額等を含む購入詳細データを含む購入確認画面をスマートフォン１００の入出力部１１２に表示させるように制御する（ステップＳＤ−２）。
【００４４】
そして、サーバ２００の購入確認画面表示制御部２０２ａは、ユーザによりスマートフォン１００の入出力部１１２を介して購入確認画面に商品の購入確認が入力されたか否かを判定する（ステップＳＤ−３）。
【００４５】
そして、サーバ２００の購入確認画面表示制御部２０２ａは、ユーザにより購入確認画面に商品の購入確認が入力されなかったと判定した場合（ステップＳＤ−３：Ｎｏ）、処理を終了する。
【００４６】
一方、サーバ２００の購入確認画面表示制御部２０２ａは、ユーザにより購入確認画面に商品の購入確認が入力されたと判定した場合（ステップＳＤ−３：Ｙｅｓ）、処理をステップＳＤ−４に移行させる。
【００４７】
そして、サーバ２００の支払処理画面表示制御部２０２ｂは、商品の支払処理画面をスマートフォン１００の入出力部１１２に表示させるように制御する（ステップＳＤ−４）。
【００４８】
そして、サーバ２００の支払処理画面表示制御部２０２ｂは、ユーザによりスマートフォン１００の入出力部１１２を介して支払処理画面に暗証番号、および、クレジットカード決済データを含む支払承認が入力されたか否かを判定する（ステップＳＤ−５）。
【００４９】
そして、サーバ２００の支払処理画面表示制御部２０２ｂは、ユーザにより支払処理画面に支払承認が入力されなかったと判定した場合（ステップＳＤ−５：Ｎｏ）、処理を終了する。
【００５０】
一方、サーバ２００の支払処理画面表示制御部２０２ｂは、ユーザにより支払処理画面に支払承認が入力されたと判定した場合（ステップＳＤ−５：Ｙｅｓ）、処理をステップＳＤ−６に移行させる。
【００５１】
そして、サーバ２００の支払実行部２０２ｃは、ユーザにより支払処理画面に入力された支払承認に含まれる暗証番号と、支払承認に含まれるクレジットカード決済データに対応する、オンライン決済アプリ登録データベース２０６ｂに記憶された登録暗証番号との一致を確認した場合、商品の支払処理を実行し（ステップＳＤ−６）、処理を終了する。
【００５２】
ここで、図６から図９を参照して、本実施形態におけるコード決済処理の具体例について説明する。図６および図７は、本実施形態におけるコード決済処理の一例を示すフロー図である。
【００５３】
［コード決済処理（その１）］
図６に示すように、本実施形態においては、店頭に９００円のＡランチのＱＲコード（登録商標）が掲載されており、ユーザがスマートフォン１００を使って当該ＱＲコード（登録商標）をスキャンした場合（ステップＳＥ−１）、読み取ったＱＲコード（登録商標）がこの店舗の本物のＱＲコード（登録商標）であることが分かるようにする購入確認画面をスマートフォン１００に表示し、ユーザに商品を確認させて買うか止めるかの判断をさせる（ステップＳＥ−２）。
【００５４】
そして、本実施形態においては、ユーザにより商品の「購入ボタン」が押下されると、支払承認に係る暗証番号を入力するための支払処理画面を表示し、ユーザにより暗証番号が入力されると（ステップＳＥ−３）、支払を完了する（ステップＳＥ−４）。
【００５５】
［コード決済処理（その２）］
図７に示すように、本実施形態においては、店頭に９００円のＡランチのＱＲコード（登録商標）、および、１０００円のＢランチのＱＲコード（登録商標）が掲載されており、ユーザがスマートフォン１００を使って二つのＱＲコード（登録商標）をスキャンした場合（ステップＳＦ−１）、読み取った二つのＱＲコード（登録商標）がこの店舗の本物のＱＲコード（登録商標）であることが分かるようにする購入確認画面をスマートフォン１００に表示し、ユーザに商品を確認させて買うか止めるかの判断をさせる（ステップＳＦ−２）。
【００５６】
そして、本実施形態においては、ユーザにより二つの商品の購入確認が入力されると、支払承認に係る暗証番号を入力するための支払処理画面を表示し、ユーザにより暗証番号が入力されると（ステップＳＦ−３）、支払を完了する（ステップＳＦ−４）。このように、本実施形態においては、複数のＱＲコード（登録商標）が読み取られた場合、ユーザに各商品の明細を確認させ、合計に対する支払承認させるようにすることができる。
【００５７】
ここで、図８および図９を参照して、本実施形態における二次元コードスキャンの一例について説明する。図８および図９は、本実施形態における二次元コードスキャンの一例を示す図である。
【００５８】
図８に示すように、本実施形態においては、通販カタログに掲載されたＱＲコード（登録商標）をスキャンすることで、オンライン決済できるようにしてもよい。また、図９に示すように、本実施形態においては、食堂のメニュー表に掲載されたＱＲコード（登録商標）をスキャンすることで、キャッシュレスで食事をできるようにしてもよい。また、本実施形態においては、店頭端末等に表示されたＱＲコード（登録商標）をスキャンすることで、オンライン決済できるようにしてもよい。
【００５９】
［４．他の実施形態］
本発明は、上述した実施形態以外にも、特許請求の範囲に記載した技術的思想の範囲内において種々の異なる実施形態にて実施されてよいものである。
【００６０】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６１】
また、本明細書中や図面中で示した処理手順、制御手順、具体的名称、各処理の登録データや検索条件等のパラメータを含む情報、画面例、データベース構成については、特記する場合を除いて任意に変更することができる。
【００６２】
また、端末装置１００、サーバ２００および金融機関システム６００に関して、図示の各構成要素は機能概念的なものであり、必ずしも物理的に図示の如く構成されていることを要しない。
【００６３】
例えば、端末装置１００およびサーバ２００が備える処理機能、特に制御部１０２および制御部２０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて端末装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６４】
また、このコンピュータプログラムは、端末装置１００およびサーバ２００に対して任意のネットワーク３００を介して接続されたアプリケーションプログラムサーバに記憶されていてもよく、必要に応じてその全部または一部をダウンロードすることも可能である。
【００６５】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６６】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【００６７】
記憶部１０６および記憶部２０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００６８】
また、端末装置１００およびサーバ２００は、既知のパーソナルコンピュータまたはワークステーション等の情報処理装置として構成してもよく、また、任意の周辺装置が接続された当該情報処理装置として構成してもよい。また、端末装置１００およびサーバ２００は、当該装置に本実施形態で説明した処理を実現させるソフトウェア（プログラムまたはデータ等を含む）を実装することにより実現してもよい。
【００６９】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７０】
本発明は、モバイル決済業務を行う金融業界において有用である。
【符号の説明】
【００７１】
１００  端末装置
１０２  制御部
１０６  記憶部
１１０  撮影部
１１２  入出力部
２００  サーバ
２０２  制御部
２０２ａ  購入確認画面表示制御部
２０２ｂ  支払処理画面表示制御部
２０２ｃ  支払実行部
２０６  記憶部
２０６ａ  商品データベース
２０６ｂ  登録データベース
３００  ネットワーク
【図１】
2020027588.tif 000003
【図２】
2020027588.tif 000004
【図３】
2020027588.tif 000005
【図４】
2020027588.tif 000006
【図５】
2020027588.tif 000007
【図６】
2020027588.tif 000008
【図７】
2020027588.tif 000009
【図８】
2020027588.tif 000010
【図９】
2020027588.tif 000011